(57)【要約】【課題】簡便かつ良好に、適切な反り方向及び量にコントロール可能な記録シートの反り矯正方法を提供すること。【解決手段】記録前又は記録済みの記録シートの両端部のそれぞれを着脱自在に保持可能で、前記記録シートが保持された状態で前記記録シートは曲面を形成し、該曲面を形成した記録シートの復元力を利用しつつ、前記記録シートを保持可能な冶具により、前記記録シートを保持することを特徴とする記録シートの反り矯正方法とする。【選択図】図２
2005350181.tif 000002
【特許請求の範囲】
【請求項１】
記録前の記録シートの両端部のそれぞれを着脱自在に保持可能で、前記記録シートが保持された状態で前記記録シートは曲面を形成し、該曲面を形成した記録シートの復元力を利用しつつ、前記記録シートを保持可能な冶具により、前記記録シートを保持することを特徴とする記録シートの反り矯正方法。
【請求項２】
記録済みの記録シートの両端部のそれぞれを着脱自在に保持可能で、前記記録シートが保持された状態で前記記録シートは曲面を形成し、該曲面を形成した記録シートの復元力を利用しつつ、前記記録シートを保持可能な冶具により、前記記録シートを保持することを特徴とする記録シートの反り矯正方法。
【請求項３】
前記記録シートが、インクジェット用記録シートであることを特徴とする請求項１に記載の記録シートの反り矯正方法。
【請求項４】
前記記録シートが、インクジェット記録方法で記録されたインクジェット用記録シートであることを特徴とする請求項２に記載の記録済み記録シートの反り矯正方法。
【請求項５】
前記インクジェット用記録シートに印刷を施す前に、前記インクジェット用記録シートの印刷を施す面が平面状又は凸状になるように前記インクジェット用記録シートを矯正することを特徴とする請求項３に記載の記録シートの反り矯正方法。
【請求項６】
前記記録シートが両面記録可能であることを特徴とする請求項３〜５のいずれかに記載の記録シートの反り矯正方法。
【請求項７】
前記インクジェット用記録シートの一方の面に印刷を施した後、前記インクジェット用記録シートの他方の面に印刷を施す前に、前記インクジェット用記録シートの印刷が施された面が平面状又は凹状になるように前記インクジェット用記録シートを矯正することを特徴とする請求項６に記載の記録シートの反り矯正方法。
【発明の詳細な説明】
【技術分野】
【０００１】
本発明は、記録シートの反り矯正方法であり、特にインクジェット記録シートの反り矯正方法に関するものである。
【背景技術】
【０００２】
インクジェット用記録シート、特に、コート紙や光沢紙に分類されるインクジェット記録シートは、インク受容層と呼ばれるコート層を少なくとも基材の一方の面に設けているため、紙の伸縮率が表裏で異なり、一方の面に反りやすい性質を有している。インクジェット用記録シートの反りは、温度或いはまた湿度の影響で反りの量が変化する。
【０００３】
また、インクジェット記録シートへインクジェット記録した際には、記録面の伸び縮みにより印刷前に比べ反ってしまうことが知られている。
【０００４】
さらに、片面印刷の場合でも、印刷面側が凹状になっている印刷物については、ユーザーが長く親しんでいる銀塩写真の反りの方向と反対であるため違和感を感じざるを得ない。
【０００５】
そのため、特にインクジェット記録シートにおいて、上記のような反りの問題を解決する方法が望まれている。
【０００６】
特許文献１には、支持体の一方の面にインク受容層を設け、反対面に筆記層を設け、該筆記層がカール防止性を有するインクジェット用記録シートが提案されている。特許文献２には、インクジェット記録した後にカール防止液を付着させる処理を施すことにより、インクジェット記録後のカールを防止する提案がなされている。特許文献３には、インクジェット用記録シートの原紙にカール防止剤を含有し、反りを防止する提案がなされている。
【特許文献１】特開平０９−０７６６２４号公報
【特許文献２】特開平１０−２７２８２８号公報
【特許文献３】特開２００３−０３４０７２号公報
【発明の開示】
【発明が解決しようとする課題】
【０００７】
ところで、現在のインクジェットプリンタは、「フチなし」と呼ばれるインクジェット記録用シートに余白部を残さない印刷方法をユーザーが選択できるものもある。通常は、インクジェット用記録シートをプリンタ部材である「ピンチローラー部」と「拍車部」の２点で押さえながら印刷しているため、記録ヘッドがインクジェット用記録シートを擦ってしまうことはまず起き得なかった。しかしながら、前述した「フチなし」印刷を選択した際には、インクジェット用記録シート先端部を印刷する際には、「ピンチローラー部」のみでしかインクジェット用記録シートを押さえていない。また、インクジェット用記録シート後端部を印刷する際には、「拍車部」のみでしかインクジェット用記録シートを押さえていない。そのため、インクジェット用記録シートの反りの方向によっては、記録ヘッドがインクジェット用記録シートを擦り、インクジェット用記録シートを汚す、或いはまた傷つける場合があった。さらに、インクジェット用記録シートに記録ヘッドが擦る度合いを通り越し、衝突した際には、プリンタそのものを故障させる場合もある。
【０００８】
インクジェット用記録シートに記録ヘッドが擦る現象は、インクジェット用記録シートの記録面側が凹状であるプラスカールという状態の場合に起こりやすい。しかしながら、記録面側に凸状とした場合であっても、大きく凸状となっている場合には、記録ヘッドがインクジェット用記録シートを擦る場合もある。また、インクジェット用記録シートの給紙そのものができない場合もある。そのため、ユーザーは、上記したような現象を避けるために、手などによってインクジェット用記録シートの記録面側が凸状になるように、記録ヘッドに擦れないように、適切な反り量に反りの矯正を行う必要があった。しかしながら、手などによって反りを矯正した際には、手の油などがインクジェット用記録シートの記録面に付着し、インクジェット記録後、指紋跡と呼ばれるインクをはじいた現象が記録画像に生じ、著しく画像品位を低下させることがあった。
【０００９】
さらに、近年、両面印刷を施す場合も多くなり、片面を印刷した段階でインクジェット記録シートが反っていると、状況によっては上述と同じ問題点が発生する。
【００１０】
そこで本発明者達が、特許文献１〜３に開示された発明を検証したところ、以下の課題を見出すことに至った。即ち、印刷前のインクジェット用記録シートを、記録ヘッドに擦れないような適切な反り方向及び量にコントロールすることは難しかった。また、片面に印刷済みのインクジェット用記録シートを、ユーザーが長く親しんでいる銀塩写真の反りの方向かつ適切な反り量にコントロールすることは難しかった。さらに、一方の面に印刷を施し他方の面に印刷を施す前のインクジェット用記録シートを、記録ヘッドに擦れないよう、所望の反り方向及び量に矯正することは難しかった。
【００１１】
従って、本発明は、印刷前のインクジェット用記録シートを、記録ヘッドに擦れないような適切な反り方向及び量にコントロールすることが難しいという第１の課題、片面に印刷済みのインクジェット用記録シートを、ユーザーが長く親しんでいる銀塩写真の反りの方向かつ適切な反り量にコントロールすることは難しいという第２の課題、更には、一方の面に印刷を施し他方の面に印刷を施す前のインクジェット用記録シートを、記録ヘッドに擦れないよう、所望の反り方向及び量に矯正することは難しいという第３の課題の少なくとも１つの課題を解決できる発明を提供することにある。以上のような課題は、印刷前又は印刷済みのインクジェット用記録シート以外の記録シートの反りの問題にも共通する課題である。
【００１２】
そこで、本発明は、簡便かつ良好に、適切な反り方向及び量にコントロール可能な記録シートの反り矯正方法を提供することを目的とする。本発明の更なる目的は、以下の説明から理解できよう。
【課題を解決するための手段】
【００１３】
本発明第１発明は、上記課題の内第１課題を解決するもので、
記録前の記録シートの両端部のそれぞれを着脱自在に保持可能で、前記記録シートが保持された状態で前記記録シートは曲面を形成し、該曲面を形成した記録シートの復元力を利用しつつ、前記記録シートを保持可能な冶具により、前記記録シートを保持することを特徴とする記録シートの反り矯正方法である。
【００１４】
本発明第２発明は、上記課題の内第２課題或いは第３課題を解決するもので、
記録済みの記録シートの両端部のそれぞれを着脱自在に保持可能で、前記記録シートが保持された状態で前記記録シートは曲面を形成し、該曲面を形成した記録シートの復元力を利用しつつ、前記記録シートを保持可能な冶具により、前記記録シートを保持することを特徴とする記録シートの反り矯正方法である。
【００１５】
本発明の他の内容は、実施の説明から理解できよう。
【発明の効果】
【００１６】
本発明各発明は、上記課題を解決し対応する効果を発揮するものであるが、簡便かつ良好に、適切な反り方向及び量にコントロール可能な記録シートの反り矯正方法を提供できる。
【発明を実施するための最良の形態】
【００１７】
本発明者達は、両面印刷可能なインクジェット記録方法に適したインクジェット用記録シートの開発を行う中で、インクジェット用記録シートが反ることがある課題についても検討し、インクジェット用記録シートが曲面を形成する状態となるようにして、かつ、インクジェット用記録シートの両端部の各々を、その復元力を利用して保持可能な冶具に保持することで、反りがあるインクジェット用記録シートであっても簡便かつ良好にその反りを矯正可能であることを見出し、本発明を完成するに至ったものである。
【００１８】
本発明の記録シートの反り矯正方法は、所定の機能を有する冶具を用いて、記録シートが曲面を形成する状態で記録シートを保持することで、記録シートを所望の状態に矯正するものである。特に、インクジェット用記録シートの場合、印刷時にインクジェット用記録シートと記録ヘッドとが接触してしまうことから、本発明の記録シートの反り矯正方法を適用するのが望ましい。
【００１９】
本発明の記録シートの反り矯正方法は、記録シートの反りを矯正する必要が生じた際に適宜適用することができる。以下、好ましい適用例について説明する。
【００２０】
まず、インクジェット用記録シートに印刷を施す前においては、インクジェット用記録シートの印刷を施す面が平面状又は凸状になるようにインクジェット用記録シートを矯正することが好ましい。インクジェット用記録シートの印刷を施す面が平面状又は凸状であれば、印刷時にインクジェット用記録シートと記録ヘッドとが接触しなくなる。通常、インクジェット用記録シートは平面状で販売されているが、販売状態や開封後の保存状態によっては、インクジェット用記録シートが反っている場合がある。したがって、その反りの状態に応じて本発明の記録シートの反り矯正方法を適用することが好ましい。本発明で言うところの平面状とは、記録シートの反り量が±２ｍｍ以内であることを意味する。
【００２１】
また、片面印刷用のインクジェット用記録シートの場合、その印刷を施した後に、その印刷が施された面が平面状又は凸状になるようにインクジェット用記録シートを矯正することが好ましい。通常、銀塩写真等は写真面が凸状になっていることが多く、その状態の方が視覚的に好ましく感じるためである。
【００２２】
したがって、片面印刷を施した印刷物を作成するためには、図２１に示すフローチャートで実施することが好ましい。すなわち、印刷前のインクジェット用記録シートの反りを確認し、印刷面が平面状又は凸状でない（凹状である）場合、本発明の方法によりインクジェット用記録シートの反りを、印刷面が平面状又は凸状となるまで矯正する。そして、印刷した後、その印刷面の反りを確認し、印刷面が平面状又は凸状でない（凹状である）場合、本発明の方法によりインクジェット用記録シートの反りを、印刷面が平面状又は凸状となるまで矯正して、片面印刷物とすることが好ましい。
【００２３】
一方、両面印刷用のインクジェット用記録シートの場合、インクジェット用記録シートの一方の面に印刷を施した後、インクジェット用記録シートの他方の面に印刷を施す前に、インクジェット用記録シートの印刷が施された面が平面状又は凹状になるようにインクジェット用記録シートを矯正することが好ましい。片面を印刷した後の乾燥状態によっては、インクジェット用記録シートが反っている場合がある。ところが、その反りの状態によっては、もう一方の面を印刷する際に上記と同様にインクジェット用記録シートと記録ヘッドとが接触することがある。したがって、その反りの状態に応じて本発明の記録シートの反り矯正方法を適用することが好ましい。
【００２４】
したがって、両面印刷を施した印刷物を作成するためには、図２２に示すフローチャートで実施することが好ましい。すなわち、印刷前のインクジェット用記録シートの反りを確認し、印刷面が平面状又は凸状でない（凹状である）場合、本発明の方法によりインクジェット用記録シートの反りを、印刷面が平面状又は凸状となるまで矯正する。そして、片面印刷した後、その印刷面の反りを確認し、印刷面が平面状又は凸状でない（凹状である）場合、本発明の方法によりインクジェット用記録シートの反りを、印刷面が平面状又は凸状となるまで矯正する。その後、もう一方の面に印刷して両面印刷物とすることが好ましい。
【００２５】
保持時間については、記録シートの材質、矯正前の反り量、冶具の材質、保持具の位置保持する環境の温度・湿度等を総合的に考慮して、目的とする記録シートの反り量となるように適宜設定すればよい。
【００２６】
なお、通常インクジェット用記録シートは印刷後に乾燥させる必要がある。この乾燥後に必要に応じてインクジェット用記録シートの反りを矯正しても良いが、本発明の記録シートの反り矯正方法では、記録シートと冶具とが端部でのみ接触していることから、記録シートの乾燥と同時に所望の反りとなるように矯正することもできる。
【００２７】
このような本発明の記録シートの反り矯正方法では、所定の機能を有する冶具を用いる。そこで、本発明を実施する際に使用可能な冶具の構成について説明する。
【００２８】
図２は本発明において使用する冶具の具体的構造の一例を示す斜視図であり、図３及び図４は、それぞれ図２におけるＡ方向及びＢ方向から見たときの冶具の正面図である。この冶具１１は、２つの突出片３１からなる保持具２２の１対と、それを連結する連結部２１とで構成されている。この冶具１１に記録シート９１をセットしたときの状態を、図２におけるＢ方向から冶具１１を見たときの正面図として図９に示す。このように、１対の保持具を形成する突出片３１によって、記録シート９１の両端部のそれぞれが保持される。このとき、記録シート９１は曲面を形成した状態である。記録シート９１は平面に戻ろうとするが、保持具を形成する突出片３１がストッパーの機能を発現するため、記録シート９１は自己の復元力によって曲面の状態を維持したまま保持される。
【００２９】
記録シート９１に冶具１１をセットした状態で机上などに置いたときの状態の斜視図を図１７に示す。記録シート９１は曲面を形成した状態で保持されているので、簡単に立てることができる。このとき、冶具１１は記録シート９１の復元力によって支えられており、自然に外れて落下することはない。外したい場合は、記録シート９１を更に少し湾曲させることで、擦りキズを付けることなく容易に冶具１１から外すことができる。
【００３０】
このように、上記の構成を有する冶具によれば、記録シートをその端部でのみ接触した状態で、かつ、記録シートを曲面の状態で維持できる。すなわち、冶具が具備する１対の保持具に記録シートを装着した状態で保持することで、記録シートの反りを簡便にかつ均一に矯正できる。矯正時の状態としては、図１７に示すように机上等に立てかけても良く、冶具を下にして机上等に置いても良く、冶具を洗濯ハンガーなどに吊しても良い。
【００３１】
ここで、記録シート９１に冶具１１をセットした状態における、保持具を形成する突出片３１と記録シート９１との接触部分の拡大図を図１１に示す。このとき、記録シート９１と連結部２１とが形成する角度Φ1は、保持具を形成する吐出片３１と連結部２１とが形成する角度Φ2よりも小さく、記録シートの端と保持具とが点接触又は線接触する状態であることが好ましい。この状態となれば、記録シートの印刷面と保持具とが全く接触しない状態となり、フチなし印刷される場合においても印刷部にキズがついてしまうことがなくなる。また、良好な保持力を実現する観点からΦ2は９０°以下であることが好ましい。
【００３２】
本発明において使用する冶具は、インクジェット用記録シート、写真用記録シート等の各種記録シートの反りを矯正するために使用できる。中でも、記録シートの反りに対して問題が起きやすいインクジェット用記録シートの乾燥に好ましく使用でき、両面印刷可能なインクジェット用記録シートの反りの矯正に特に好ましく使用できる。
【００３３】
インクジェット用記録シートとしては、特に制限はなく、Ａ系列サイズ、Ｂ系列サイズ、レターサイズ、はがきサイズ、さらには、銀塩写真でおなじみのＬサイズや２Ｌサイズ、４×６サイズ、六ツ切り、四ツ切りなど、任意のサイズのインクジェット用記録シートとしてに適用可能である。記録シートのサイズに合わせて冶具のサイズや形状を調整すればよい。すなわち、記録シートの長辺の長さが、冶具の保持具間の長さよりも短くなければならない。より好ましくは、記録シートの長辺の長さをＢ、冶具の保持具間の長さをＬ（図２参照）としたとき、２Ｂ／３≦Ｌ≦９Ｂ／１０であることが好ましい。
【００３４】
インクジェット用記録シートの材質の種類にも制限はないが、インクジェット用記録シートの復元力の大きさ等を考慮すると、レジンコート紙を基材に持つインクジェット用記録シートに適用することが好ましい。
【００３５】
曲面状に保持した状態で復元力を発現するために、記録シートはある程度の剛直度（コシ）を有していることが好ましい。剛直度としては、Ｊ．ＴＡＰＰＩ  Ｎｏ．４０による測定方法で、好ましくは３００〜５０００ｍｇｆ、より好ましくは３００〜４０００ｍｇｆである。インクジェット用記録シートの場合、インクジェットプリンタでの搬送性や復元力の大きさなどから５００〜３０００ｍｇｆであることが特に好ましい。また、適切な厚さであることも高い復元力を実現するには重要であり、例えば、インクジェット用記録シートの場合、厚さは１００〜５００μｍが好ましい。インクジェットプリンタでの搬送性や復元力の大きさ等を考慮すると、１８０〜３５０μｍであることがより好ましい。特に好ましくは２００〜３００μｍである。
【００３６】
冶具の材質としては、アート紙、光沢紙、ボンド紙、再生紙、バライタ紙、キャストコート紙、コートボール紙、ダンボール紙、板紙、非木材紙、合成紙などの紙；ポリエチレンテレフタレート、ジアセテート、トリアセテート、セルロイド、ポリカーボネート、ポリイミド、ポリアクリレート、ポリエチレン、ポリプロピレン、ＡＢＳなどの樹脂；ベニア、桧、杉などの木；アルミ、鉄、銅、真鍮、ステンレスなどの金属；ゴム状弾性体などを使用することができる。
【００３７】
また、水を吸収しやすい吸収性部材からなる冶具でも、水を吸収しにくい非吸収性部材からなる冶具でも使用できる。乾燥と同時に矯正をする場合、記録シートの端部においての乾燥ムラが非常に起きにくい吸収性部材からなる冶具を使用することが好ましい。ただし、非吸収性部材であっても、表面を親水化処理することで、同様に記録シートの端部においての乾燥ムラが非常に起きにくくなる。
【００３８】
冶具の表面は滑らかな表面であっても、凹凸のついたものであっても良いし、透明、半透明、不透明のいずれであっても良い。又、これらの材質を２種以上、互いに貼り合せたものでも良い。更にインテリアの一部として各種様々な装飾やカラーリングを施しても良い。
【００３９】
記録シートを曲面状に保持する必要があるため、冶具の材質が紙の場合、強度やコストを考慮し、コートボール紙や板紙のような厚紙を用いることが好ましい。厚みとしては、冶具の強度、加工の容易性、コストの観点から、０．２〜２ｍｍが好ましく、０．３〜１ｍｍがより好ましい。他の材質の場合、紙に比べ強度が高いため、記録シートを曲面状に維持できる厚さであれば特に制約はない。例えばインテリアの一部として使用するのであれば、かなり厚く、また、それなりに装飾を施した方が好ましい。
【００４０】
冶具を簡単には折り曲げることができない材質とする場合、モールド一体成型、溶融成型などの方法により、本発明の機能を発揮可能な所定形状を有する冶具を作製すればよい。このときの冶具の形状は、本願発明の方法に使用できるように任意に設定可能である。すなわち、連結部の形状は図２のような平面のものに限らず、例えば、角柱状、円柱状などでも構わない。また、保持具の形状は図２のような平面のものを折り曲げた形状のものに限らず、例えば、角柱状、円柱状、球状などでも構わない。さらには、インテリア性を考慮して、キャラクターの形をしたものとすることもできる。
【００４１】
紙、ポリスチレンやＡＢＳなどのプラスチック等の簡単に折り曲げ可能な材質の冶具の場合、上記のように最初から所定形状を有する冶具としても良いが、例えば平面状の冶具として後に立体的に組立可能な構造とすることもできる。
【００４２】
図２に示す冶具を形成可能な平面状の冶具の一例の上面図を図１に示す。図１の冶具は平面部材４１からなり、その四隅には、切り込み４２及び折り部４３で区切られた折り曲げ部分４４を有する。その折り曲げ部分４４を折り部４３に沿って立体的に折り曲げることで突出片を形成可能である。このような冶具は、例えば、コートボール紙や板紙のような厚紙で作製することで、容易に立体的な冶具とすることができる。図３に示す折り曲げ角度θ1は、本願発明の方法に使用可能であれば０°＜θ1＜１８０°の範囲から任意に選択できるが、記録シートの保持力、再利用のしやすさ等実用面を考慮すると、３０°≦θ1≦１２０°が好ましい。なお、図２の例では２箇所の突出片で１つの保持具としているが、１箇所でも本願発明の方法に使用できる。すなわち、図１の冶具の折り曲げ部分の折り曲げ方向を逆向きにすれば、２枚の記録シートを表裏面で保持可能な冶具となる。
【００４３】
図１の平面状の冶具における左端付近の拡大図を図５に示す。この例では、切り込み４２を平面部材の端部に対して垂直（図５においてθ2＝９０°）としているが、この角度は本願発明の方法に使用できる範囲内で任意に設定できる。例えば、図６に示すように平面部材の端部に対して斜め（図６においてθ2＞９０°）となる切り込み４２とすることもできる。斜めの方がインクジェット用記録シートの保持性が向上する。実用面を考慮し、好ましくは、９０°≦θ2≦１５０°である。切り込みの位置、長さについても、本願発明の方法に使用できる範囲内で任意に設定できる。切り込みの角度、位置、長さは、各切り込みで同じでも良く、異なっていても良い。
【００４４】
また、図１０に示すように、切り込み４２の途中にアンカット部４５を設けることが好ましい。アンカット部４５を設けることで、使用前に折り曲げ部分４４が折れてしまうことが少なくなる。アンカット部４５は、１つの切り込みに一箇所設けることもでき、２箇所以上設けることもできる。
【００４５】
また、図７に示すように、平面部材４１の四隅に同じ端部から２箇所ずつ切り込み４２を形成して、２箇所ずつ折り曲げ部４４を設けることもできる。この場合、２箇所の折り曲げ部４４を逆方向に折り曲げることで、例えば図１２のような立体的な形状とすることができる。この冶具１１は記録シートを２枚同時に保持することができ（記録シートをセットした正面図：図１３）、乾燥効率が高められる。この冶具の場合、大きさの違う記録シートを２枚同時に保持させる場合は、折り曲げる方向を変えることで対応可能である（記録シートをセットした正面図：図１５）。また、切り込み４２を斜めに入れた状態とすることもできる（上面図：図８、記録シートをセットした正面図：図１４及び図１６）。
【００４６】
上記のように平面状態のものを立体状態にする冶具は立体状態で使用することとなるが、平面状態に戻せるものが便利である。立体状態及び平面状態のいずれにも可逆的に変化しうる冶具であれば、記録シートのパッケージ内に容易にしまうことができる。
【００４７】
さらに、図１８に示すように平面部材４１をいくつか切り出し可能なマスターシート５０の形態とすることもできる。この場合、１つ１つの平面部材４１を容易に切り離せるよう、カット部とアンカット部により冶具周囲を加工しておくことが好ましい。また、図１８では、平面部材４１を４つ配した構成を一例として図示しているが、強度や保持する記録シートの厚みや剛直度などにより適宜配する数を調整することが可能である。切り込みの角度、位置、長さ等も適宜設定できる。
【００４８】
以上のような冶具は、記録シートの反りの矯正に好適に使用できるものであるから、記録シートと冶具とを含むユニットとなって供給されるものが好ましい。特に、平面部材の一部を立体的に折り曲げて突出片を形成する形態の冶具は、記録シートのパッケージ内に容易に入れることができることから、ユニットとして供給するのに好適である。このとき、冶具となる平面部材の長辺の長さがインクジェット用記録シートの長辺の長さ以下とすることが好ましい。こうすることで、ユニット全体の大きさを大きくすることなく、冶具を記録シートのパッケージ内に容易に入れることができる。
【００４９】
また、別の実施形態として、プリンターに直接上記の保持具となる突出片を形成した冶具を使用することもできる。保持具となる突出片の形成する位置は、プリンターの上部の蓋上（図１９）でも良く、側面（図２０）でも良い。突出片は折りたたみ可能な形態とすることで、使用後に折りたためることから好ましい。インテリア性を考慮して、保持具をキャラクターの形をしたものとすることもできる。また、プリンターの表面に冶具の形状を型抜きして、マグネット等を利用して着脱可能な形態とすることも好ましい。
【実施例】
【００５０】
以下に実施例を用いて、本発明をさらに詳しく説明する。
【００５１】
［インクジェット用記録シート１の作製］
＜支持体の作製＞
原料パルプとして、濾水度４５０ｍｌＣＳＦ（Ｃａｎａｄｉａｎ  Ｓｔａｎｄａｒａｄ  Ｆｒｅｅｎｅｓｓ）のＬＢＫＰ（広葉樹晒しクラフトパルプ）９０質量部、濾水度４５０ｍｌＣＳＦのＮＢＫＰ（針葉樹晒しクラフトパルプ）１０質量部を混合し、叩解した後、カオリン（土屋カオリン製）１０質量部、アルケニル無水コハク酸０．１質量部、カチオン化デンプン（日澱化学社製、商品名：ペトロサイズＪ）０．２質量部を配合して、常法により、坪量１５０ｇ／ｍ2、ステキヒトサイズ度１０秒の基紙を抄造した。
【００５２】
＜下塗り層の作製＞
顔料として、高純度アルミナ（住友化学工業株式会社製、商品名：ＡＫＰ−Ｇ０１５，リン片状アルミナ，嵩密度０．０７ｇ／ｃｍ3、比表面積１５０ｍ2／ｇ）１００質量部に、接着剤として、ポリビニルアルコール（商品名：ＰＶＡ１１７、クラレ社製）２０質量部、分散剤として、ポリ燐酸ソーダ０．５質量部を添加、混合し、固形分濃度１５質量％の下塗り用塗工液を調製した。
【００５３】
この下塗り用塗工液を、上記で作製した支持体に乾燥質量で１５ｇ／ｍ2になるように、バーコーターで塗被、乾燥して下塗り原紙を得た。
【００５４】
＜光沢層の作製＞
キャスト塗工液として、ガラス転移点８０℃のスチレン−２メチルヘキシルアクリレート共重合体４０質量部、コロイダルシリカ（日産化学社製、商品名：スノーテックス２０）６０質量部、離型剤としてステアリン酸カルシウム２部よりなる固形分濃度が３０質量％のキャスト用塗工液を調製した。
【００５５】
この塗工液を上記の下塗り原紙上にバーコーターを用いて塗被した後、ただちに表面温度が８５℃の鏡面ドラムに圧接し、乾燥後、離型させ、印刷面側が凹状態のＡ４サイズのインクジェット用記録シート１を得た。このときの塗工量は固形分質量で、５ｇ／ｍ2であった。
【００５６】
［インクジェット用記録シート２の作製］
＜支持体の作製＞
濾水度４５０ｍｌＣＳＦのＬＢＫＰ７０質量部、濾水度４５０ｍｌＣＳＦのＮＢＫＰ３０質量部から成る木材パルプ１００質量部に、軽質炭酸カルシウム／重質炭酸カルシウム／タルクの比率が質量３０／３５／３５の顔料５質量部、市販アルキルケテンダイマー（荒川化学工業社製、商品名：サイズパインＮＴ−７６）０．１質量部、市販カチオン系アクリルアミド（荒川化学工業社製、商品名：アラフィックス１００）０．０３質量部、市販カチオン化澱粉（日澱化学社製、商品名：ペトロサイズＪ）１．０質量部、硫酸バンド（多木化学社製、商品名：硫酸アルミニウム）０．５質量部を調成後、公知の長網抄紙機を用いて坪量１００ｇ／ｍ2で抄造し、乾燥して透気性のある支持体を得た。
【００５７】
＜インク受容層の作製＞
インク受容層用塗工液は、合成非晶質シリカ（商品名：ファインシールＸ３７Ｂ、トクヤマ社製）１００質量部、ポリビニルアルコール（商品名：ＰＶＡ１１７、クラレ社製）３０質量部を用い、固形分濃度１３質量％に調整して得た。次いで該塗工液を、バーコーターにより乾燥塗工量３０ｇ／ｍ2となるように上記で作製した支持体に塗工した。さらに、もう一方の面にも同様に乾燥塗工量３０ｇ／ｍ2となるようにインク受容層を作成し、これをスーパーカレンダー処理して、Ａ４サイズとし、反りのない平面状（反り量±１ｍｍの範囲）のインクジェット用記録シート２（両面マット紙）を作製した。
【００５８】
［インクジェット記録条件］
＜インクジェットプリンタ＞
キヤノン株式会社製、ＰＩＸＵＳ９５０ｉ（商品名）
＜インクジェット用記録シート１印刷時のドライバの設定＞
用紙設定：プロフォトペーパー（最高品位）
フチ有無：フチ無
＜インクジェット用記録シート２印刷時のドライバの設定＞
用紙設定：高品位専用紙（最高品位）
フチ有無：フチ無
＜記録画像＞
インクジェット用記録シート１：Ａ４サイズ全域に黒１００％
インクジェット用記録シート２：Ａ４サイズ全域に黒１００％（第一印刷面）
Ａ４サイズ全域に黒４０％（第二印刷面）
＜アプリケーション＞
ＰｈｏｔｏＳｈｏｐ（登録商標）７．０
（実施例１）
インクジェット用記録シート１を図２に示す冶具に、その光沢面が外側に向くようにセットして１６時間放置した。その後、インクジェット用記録シート１を冶具から取り外した。放置前後のインクジェット用記録シート１の反り量を測定した。結果を表１に示す。
【００５９】
次に、そのインクジェット用記録シート１に印刷を施した。その際のインクジェット用記録シートとインクジェットヘッドとの擦れの有無を確認した。結果を表１に示す。
【００６０】
図２に示す冶具の詳細
短辺４ｃｍ、長辺２８ｃｍのコートボール紙（厚み：約３８０ミクロン）を使用して、図５に示す切り込みを有する冶具とし、切り込みは、左端部から１５ｍｍの位置に長さ１２ｍｍで形成し、切り込み角度θ2は９０°とした。
【００６１】
（実施例２）
実施例１で得られた印刷物は印刷面が凹状となっていたため、再度図２に示す冶具に、その印刷面が外側に向くようにセットして４時間放置した。放置前後のインクジェット用記録シート１の反り量を測定した。結果を表１に示す。
【００６２】
（実施例３）
インクジェット用記録シート２は平面状（反り量±１ｍｍの範囲）であるため矯正はせず、まず片面（第一印刷面）に印刷を施した。この印刷時にインクジェット用記録シートとインクジェットヘッドとの擦れは起こらなかった。
【００６３】
印刷後の状態を確認したところ、第一印刷面が凸状になっていたため、図２に示す冶具に、その裏面である第二印刷面が外側に向くようにセットして１時間放置した。放置前後のインクジェット用記録シート２の反り量を測定した。結果を表１に示す。
【００６４】
次に、第二印刷面に印刷を施した。その際のインクジェット用記録シートとインクジェットヘッドとの擦れの有無を確認した。結果を表１に示す。
【００６５】
（比較例１）
インクジェット用記録シート１の反り量を測定し、その後そのまま印刷を施した。その際のインクジェット用記録シートとインクジェットヘッドとの擦れの有無を確認した。結果を表１に示す。
【００６６】
（比較例２）
インクジェット用記録シート２の片面（第一印刷面）に印刷を施した。印刷後、インクジェット用記録シート２の反り量を測定し、その後そのまま、その裏面である第二印刷面に印刷を施した。その際のインクジェット用記録シートとインクジェットヘッドとの擦れの有無を確認した。結果を表１に示す。
【００６７】
（比較例３）
インクジェット用記録シート２は平面状（反り量±１ｍｍの範囲）であるため矯正はせず、まず片面（第一印刷面）に印刷を施した。印刷後の状態を確認し、反り量を測定し、第一印刷面が凸状になっていたため、第二印刷面を外側にして手で丸めて反りを矯正したが、微調整が効かず、逆方向（第一印刷面側に凹状）に大きく反ってしまった。さらに、インクジェット用記録シート２の一部が折れてしまった。その後そのまま印刷を施した。その際のインクジェット用記録シートとインクジェットヘッドとの擦れの有無を確認した。結果を表１に示す。
【００６８】
【表１】
2005350181.tif 000003
［評価方法］
＜反り量＞
インクジェット記録シートを凹状態になるように机上に置き、インクジェット記録シートの４隅において浮き上がった量（単位：ｍｍ）を測定し、そのうち最も大きい値を反り量とした。なお、反りの向きを表現するために、以下の基準で「＋」「−」を付記した。
【００６９】
（インクジェット用記録シート１）
「＋」：印刷面を上側にして置いた時凹状態、「−」：印刷面を上側にして置いた時凸状態
（インクジェット用記録シート２）
「＋」：第一印刷面を上側にして置いた時凹状態、「−」：第一印刷面を上側にして置いた時凸状態
＜擦れ＞
○：記録ヘッドと擦れの無かったもの
×：記録ヘッドと擦れたもの
以上のように、本発明によれば、簡便かつ良好に記録シートの反りを矯正可能である。
【図面の簡単な説明】
【００７０】
【図１】本発明で使用する平面状の冶具の一例を示す上面図である。
【図２】本発明で使用する立体状の冶具の一例を示す斜視図である。
【図３】図２においてＡ方向から見た冶具の平面図である。
【図４】図２においてＢ方向から見た冶具の平面図である。
【図５】図１の冶具の左端付近の拡大図である。
【図６】本発明で使用する平面状の冶具の一例の左端付近の拡大図である。
【図７】本発明で使用する平面状の冶具の一例の左端付近の拡大図である。
【図８】本発明で使用する平面状の冶具の一例の左端付近の拡大図である。
【図９】図２の冶具を記録シートにセットした状態を示す正面図である。
【図１０】本発明で使用する平面状の冶具の一例の左端付近の拡大図である。
【図１１】保持具を形成する突出片と記録シートとの接触部分の拡大図である。
【図１２】図７の冶具を立体的に組み立てた後の状態を示す斜視図である。
【図１３】図７の冶具を立体的に組み立てたものに、記録シートにセットした状態の一例を示す正面図である。
【図１４】図７の冶具を立体的に組み立てたものに、記録シートにセットした状態の一例を示す正面図である。
【図１５】図７の冶具を立体的に組み立てたものに、記録シートにセットした状態の一例を示す正面図である。
【図１６】図７の冶具を立体的に組み立てたものに、記録シートにセットした状態の一例を示す正面図である。
【図１７】図２の冶具を記録シートにセットした状態で机上などに置いたときの状態を示す斜視図である。
【図１８】本発明で使用する冶具を複数有するマスターシートの一例を示す上面図である。
【図１９】プリンターの上部の蓋上に保持具を有するプリンターの外観図である。
【図２０】プリンターの側面に保持具を有するプリンターの外観図である。
【図２１】本発明の反り矯正方法を適用して、片面に印刷を施した印刷物を作成する各工程を示すフローチャートである。
【図２２】本発明の反り矯正方法を適用して、両面に印刷を施した印刷物を作成する各工程を示すフローチャートである。
【符号の説明】
【００７１】
１１  冶具
２１  連結部
２２  保持具
３１  突出部
４１  平面部材
４２  切り込み
４３  折り部
４４  折り曲げ部分
４５  アンカット部
９１  記録シート
【図１】
2005350181.tif 000004
【図２】
2005350181.tif 000005
【図３】
2005350181.tif 000006
【図４】
2005350181.tif 000007
【図５】
2005350181.tif 000008
【図６】
2005350181.tif 000009
【図７】
2005350181.tif 000010
【図８】
2005350181.tif 000011
【図９】
2005350181.tif 000012
【図１０】
2005350181.tif 000013
【図１１】
2005350181.tif 000014
【図１２】
2005350181.tif 000015
【図１３】
2005350181.tif 000016
【図１４】
2005350181.tif 000017
【図１５】
2005350181.tif 000018
【図１６】
2005350181.tif 000019
【図１７】
2005350181.tif 000020
【図１８】
2005350181.tif 000021
【図１９】
2005350181.tif 000022
【図２０】
2005350181.tif 000023
【図２１】
2005350181.tif 000024
【図２２】
2005350181.tif 000025